(57)【要約】【課題】  産業車両用として好適な耐久性に優れた重荷重用空気入りバイアスタイヤを提供する。【解決手段】  隣接するプライ間で互いにコード方向が交差する複数のカーカス層を有すると共に、左右一対のビード部に少なくとも一つのビードコアを埋設し、カーカス層の端部をビードコアの廻りに折り返して配置した重荷重用空気入りバイアスタイヤにおいて、最内側のビードコア３ａに巻き上げた複数のカーカス層のうち、その巻き上げ側のコード方向が最内カーカス層１Ｐの本体側コード方向と同一となるカーカス層の巻き上げ端末２Ｐａ、４Ｐａを、リムフランジＲ高さと同等若しくはその下方に位置させる。【選択図】  図２
2005041368.tif 000002
【特許請求の範囲】
【請求項１】
隣接するプライ間で互いにコード方向が交差する複数のカーカス層を有すると共に、左右一対のビード部に少なくとも一つのビードコアを埋設し、前記カーカス層の端部を前記ビードコアの廻りに折り返して配置した重荷重用空気入りバイアスタイヤにおいて、
最内側のビードコアに巻き上げた複数のカーカス層のうち、その巻き上げ側のコード方向が最内カーカス層の本体側コード方向と同一となるカーカス層の巻き上げ端末を、リムフランジ高さと同等若しくはその下方に位置させた重荷重用空気入りバイアスタイヤ。
【請求項２】
前記巻き上げ端末が、前記最内側のビードコアの内周面よりも上方に位置する請求項１に記載の重荷重用空気入りバイアスタイヤ。
【請求項３】
タイヤ内側にチューブが内挿されている請求項１又は２に記載の重荷重用空気入りバイアスタイヤ。
【請求項４】
前記重荷重用空気入りバイアスタイヤが、前記ビード部に複数のビードコアを備えた産業車両用である請求項１、２又は３に記載の重荷重用空気入りバイアスタイヤ。
【発明の詳細な説明】
【技術分野】
【０００１】
本発明は重荷重用空気入りバイアスタイヤに関し、さらに詳しくは、産業車両用として好適な耐久性に優れた重荷重用空気入りバイアスタイヤに関する。
【背景技術】
【０００２】
現在、重荷重用空気入りタイヤとしてはラジアルタイヤが主流であるが、例えば製鉄所のコイル運搬車等のように超重量物を運搬する車両に使用されるタイヤには、高度の耐久性が要求されることから、チューブを内蔵したバイアスタイヤが広く使用されている。これらの車両は、高内圧、高荷重下で使用されるうえに３６０°回転する据え切りでの使用頻度が多く、かかる車両に装着するタイヤとしては非常に厳しい条件下での耐久性が要求されている。
【０００３】
従来、かかるタイヤの故障は、図３に示すように、高荷重の撓みによる繰り返しの圧縮歪を受けるタイヤサイド部に集中し、最初にサイド部の図中Ｑで示す位置の最内層カーカス層のカーカスコードにコード切れが発生し、この傷に高内圧による変形を受けたチューブＴが噛まれてパンク状態となり、終には使用不能になるというものであった。
【０００４】
しかしながら、近年、製鉄所等では更なる運搬効率の向上を目指して、積載量の増加等の措置が採られていることから、タイヤの負荷荷重はますます増加傾向にあり、タイヤの故障形態が変化してきた。すなわち、更なる高内圧、高荷重下でタイヤを酷使することにより、図４（ａ）に示すように、カーカスコードのコード切れがリムフランジ側の図中Ｑ’の位置に多発するようになることが判明した。そして、かかるコード切れは、図４（ｂ）に示すように、最初に最内側のビードコア３ａに巻き上げられる最内カーカス層１Ｐの本体側に生じ、その位置は内側から２番目のカーカス層２Ｐの巻き上げ端末２Ｐｅの高さに相当する位置Ｑ１であり、次いでコード切れが同じ高さにおける内側から３番目のカーカス層３Ｐの本体側の位置Ｑ３に発生することを突き止めた。
【０００５】
そして、発明者等の更なる解析により、最内カーカス層１Ｐの本体側に発生するコード切れはコードの配列方向と密接な関係があることを知見した。すなわち、バイアスタイヤのカーカス層は隣接するプライ間でコード方向が互いに交差するように配置されているが、最内側のビードコア３ａに巻き上げられる複数のカーカス層のうち、最内カーカス層１Ｐと本体側コード方向が交差する方向になっている、例えば２番目のカーカス層２Ｐの巻き上げ側のコード方向が最内カーカス層１Ｐの本体側と同一になっていて、その端末２Ｐｅの高さに相当する位置において、最内カーカス層１Ｐの本体側から最初にコード切れが発生することが判明した。
【０００６】
一方、 高内圧、高荷重を支えるために複数のカーカス層を備えたバイアスタイヤは、構造上最内カーカス層のコード張力が最外カーカス層のコード張力に比し高くなるため、これを緩和させる目的で、最内カーカス層と最外カーカス層とを構成するコード間で、コードの切断時強さ、被覆ゴムのモジュラス、コード径、等を変更する提案がある（例えば、特許文献１参照。）。
【０００７】
しかしながら、この提案では、最内カーカス層のリムフランジ側のコードのコード切れの防止対策には直接結び付かず、上述した近年の過酷な条件下で使用するタイヤのコード切れ対策としては必ずしも充分なものではなかった。さらには、最内カーカス層と最外カーカス層とを互いに異なる材料構成にすることから、生産性を阻害するという問題を孕んでいた。
【特許文献１】特開平１０−２８７１０４号公報
【発明の開示】
【発明が解決しようとする課題】
【０００８】
本発明の目的は、かかる問題点を解消し、産業車両用として好適な耐久性に優れた重荷重用空気入りバイアスタイヤを提供することにある。
【課題を解決するための手段】
【０００９】
上記目的を達成するための本発明の空気入りタイヤは、隣接するプライ間で互いにコード方向が交差する複数のカーカス層を有すると共に、左右一対のビード部に少なくとも一つのビードコアを埋設し、前記カーカス層の端部を前記ビードコアの廻りに折り返して配置した重荷重用空気入りバイアスタイヤにおいて、最内側のビードコアに巻き上げた複数のカーカス層のうち、その巻き上げ側のコード方向が最内カーカス層の本体側コード方向と同一となるカーカス層の巻き上げ端末を、リムフランジ高さと同等若しくはその下方に位置させたことを特徴とする。
【発明の効果】
【００１０】
本発明の空気入りタイヤは、最内側のビードコアに巻き上げた複数のカーカス層のうち、巻き上げ側のコード方向が最内カーカス層の本体側コード方向と同一となるカーカス層の巻き上げ端末を、リムフランジ高さと同等若しくはその下方に位置させたので、その巻き上げ端末が、ビード部のリムフランジに囲まれた剛性の高い部分で動きを制約されることから、前記巻き上げ端末と同じ高さに位置する最内カーカス層の本体側コードのコード切れの発生を抑制し、コード切れによる耐久性の低下を防止することができる。
【発明を実施するための最良の形態】
【００１１】
以下、本発明の構成につき添付の図面を参照しながら詳細に説明する。
【００１２】
図１は本発明の重荷重用空気入りバイアスタイヤ（以下、バイアスタイヤという）の一例につき一部を省略して示す半断面図で、図２は図１のタイヤのビード部におけるカーカス層のコード配置を説明するための一部を省略して示す断面図である。
【００１３】
バイアスタイヤ１は、左右一対のビード部２，２に少なくとも一つ（図では二つ）のビードコア３ａ、３ｂを埋設している。内側のビードコア３ａには、図２に示すように、プライ間でカーカスコードを互いに交差させた４枚のカーカス層１Ｐ、２Ｐ、３Ｐ、４Ｐがタイヤ内側から外側に向かって巻き上げられている。図では省略しているが、外側のビードコア３ｂの廻りにも同様に４枚のカーカス層の端部が巻き上げられ、その外側にタイヤ外側から内側に向かってビード部２の底部で終端する４枚のカーカス層が配置されている。また、図示していないが、リム組み時には最内側にゴム製のチューブが内挿される。
【００１４】
これら１２枚のカーカス層のコードは、隣接するカーカス層間で互いにコード方向を異にし、タイヤ周方向に対して所定の角度を有して交差している。内側のビードコア３ａに巻き上げられた４枚のカーカス層１Ｐ、２Ｐ、３Ｐ、４Ｐの巻き上げ端末のうち、最内カーカス層１Ｐの端末１Ｐｅの高さｈ１及び３番目のカーカス層３Ｐの端末３Ｐｅの高さｈ３がそれぞれリムフランジＲのビードシート面からの高さＨより高く設定され、２番目のカーカス層２Ｐの端末２Ｐｅの高さｈ２及び４番目のカーカス層４Ｐの端末４Ｐｅの高さｈ４がそれぞれリムフランジＲの前記高さＨより低く設定されている。
【００１５】
リムフランジＲの近傍におけるカーカス層には、走行時にリムフランジＲからの突き上げによって、コード張力が高くなる領域が生じ、折り返し側のコード方向が最内カーカス層１Ｐの本体側（タイヤ内側）と同方向になるカーカス層の端末位置でカーカス層１Ｐのコード張力が局部的に高くなるという現象が見られる。
【００１６】
本発明タイヤは、かかる知見に基づき、巻き上げ側のコード方向が最内カーカス層１Ｐの本体側（タイヤ内側）と同一となる内側から偶数番目に位置するカーカス層２Ｐ及び４Ｐの折り返し側（タイヤ外側）の端末２Ｐｅ及び４ＰｅをそれぞれリムフランジＲにより囲まれた剛性の高い部分に位置させたので、端末２Ｐｅ及び４Ｐｅの動きを制約し、最内カーカス層１Ｐの本体側コードの巻き上げ端末２Ｐｅ及び４Ｐｅの高さ位置におけるコード切れの発生を抑制することができる。
【００１７】
本発明において、上記する巻き上げ端末２Ｐｅ及び４Ｐｅの位置は、カーカス層２Ｐ及び４Ｐをビードコア３ａの周囲に確実に係止させる観点から、ビードコア３ａの内周のタイヤ軸方向延長線３ａｘよりも上方に位置させることが好ましい。
【００１８】
なお、上述した実施形態では、ビード部に埋設したビードコアが二つである場合を例示したが、ビードコアの数はこれに限定されるものではなく、さらにカーカス層の数も上記実施形態に限られるものではない。
【００１９】
上述するように、本発明のバイアスタイヤ１は、最内側のビードコア３ａの廻りに巻き上げた内側から偶数番目のカーカス層２Ｐ及び４Ｐの巻き上げ端末２Ｐｅ及び４Ｐｅの位置をリムフランジＲの高さと同等若しくはそれより低い位置に配置することにより、最内カーカス層１Ｐの本体側におけるリムフランジＲ側のコードのコード切れを防止するものであり、特に使用条件の過酷な産業車両用のタイヤとして好適である。
【実施例】
【００２０】
タイヤサイズを８．２５−１５  １８ＰＲ  １Ｄとして、最内側のビードコアに巻き上げた４層のカーカス層１Ｐ、２Ｐ、３Ｐ、４Ｐのビードシート面からの巻き上げ高さを表１のように異ならせた他は、全ての仕様を同一とした従来タイヤ（従来例）及び本発明タイヤ（実施例）をそれぞれ２本ずつ作製した。なお、各タイヤにおける４層のカーカス層１Ｐ、２Ｐ、３Ｐ、４Ｐのタイヤ赤道面における赤道線に対する角度を表１のように同一とした。
【００２１】
上記２種類のタイヤ各２本について、以下の試験条件によりコード切れが発生するまでの走行時間を測定し、その結果を表１に併記した。
〔試験条件〕
各タイヤをフランジ高さが３８ｍｍのリム（１５×６，５０Ｔ）に組み込み、５００ｋＰａ（通常使用の５０％）の空気圧を充填して、室内ドラム試験（負荷荷重４０ｋＮ（通常使用の１００％）、速度９ｋｍ／ｈ）により、カーカスコードにコード切れが発生するまで走行させて、その走行距離を測定した。これを各２本のタイヤについて行ない、その結果を平均して表示した。
【００２２】
【表１】
2005041368.tif 000003
表１から、本発明タイヤは従来タイヤに比較して、耐久性に優れていることがわかる。
【図面の簡単な説明】
【００２３】
【図１】本発明の重荷重用空気入りバイアスタイヤの一例について一部を省略して示す半断面図である。
【図２】図１のタイヤのビード部におけるカーカス層のコード配置を説明するための一部を省略して示す断面図である。
【図３】従来の重量物運搬用車両に使用される空気入りバイアスタイヤの故障箇所を説明するための半断面図である。
【図４】従来の重量物運搬用車両に使用される空気入りバイアスタイヤの他の故障箇所を説明するための図で、（ａ）はタイヤの半断面図、（ｂ）はビード部におけるカーカス層のコード配置の一部を省略して示す断面図である。
【符号の説明】
【００２４】
１  重荷重用空気入りバイアスタイヤ
２  ビード部
３ａ、３ｂ  ビードコア
１Ｐ、２Ｐ、３Ｐ、４Ｐ  カーカス層
１Ｐｅ、２Ｐｅ、３Ｐｅ、４Ｐｅ  巻き上げ端末
【図１】
2005041368.tif 000004
【図２】
2005041368.tif 000005
【図３】
2005041368.tif 000006
【図４】
2005041368.tif 000007